【事件の表示】
　特許第２８３３４８４号「化粧シート」の請求項１ないし５に係る特許に対する特許異議の申立てについて、次のとおり決定する。
【結論】
　特許第２８３３４８４号の請求項１ないし５に係る特許を維持する。
【理由】
　１．本件特許第２８３３４８４号の発明〔平成４年４月６日に出願された特願平４−８３６６４号の分割出願として平成６年７月２８日に出願、平成１０年１０月２日に設定登録（請求項の数５）〕は、特許明細書の記載からみて、その特許請求の範囲請求項１〜５に記載されたとおりのものと認める。
　２．特許異議申立人は、甲第１号証（特開平４−１０９３２号公報）、甲第２号証（特開平２−３０５２８号公報）、甲第３号証（特公平４−９１４３号公報）、甲第４号証（「化学大辞典」、共立出版株式会社、第１巻、第９８３頁）、甲第５号証（特開平３−２４３３４２号公報）、甲第６号証（特公平３−７８０６４号公報）、甲第７号証（特開平３−１７６１４１号公報）、甲第８号証（特開平２−３６９４３号公報）、甲第９号証（特公昭５７−２７８１４号公報）、甲第１０号証（特開平３−２０２３４８号公報）、甲第１１号証（特開昭６３−３４１３８号公報）、甲第１２号証（特開昭５０−２０８２号公報）、甲第１３号証（特公昭６３−５６８９７号公報）、甲第１４号証（特開昭６０−２４２２４５号公報）、甲第１５号証（特公昭５２−２４５５２号公報）、甲第１６号証（特開昭５８−１１０７５１号公報）及び甲第１７号証（「新・包装技術便覧−１」、１９７１年１２月２０日（財）日本生産性本部発行、第８５８〜８５９頁）を提出して、請求項１〜５に係る発明は、甲第１〜１７号証に記載された発明に基づいて当業者が容易に発明をすることができたものであるから、その特許は、特許法第２９条第２項の規定に違反してされたものであると主張している。
　３．そして、甲第１号証には、印刷及び／又は蒸着を施した基材の表面に、凹凸模様を有する合成樹脂層を積層してなる、凹凸模様を有するシート（特許請求の範囲請求項１）、凹凸模様を有する合成樹脂層が防汚性物質を含有する請求項１記載のシート（同請求項２）、印刷及び／又は蒸着を施した基材上に合成樹脂を押出し、同時に該合成樹脂の表面に凹凸模様を設けることを特徴とする模様シートの製造方法（同請求項３）及びエンボス冷却ロールにより合成樹脂の表面に凹凸模様を設ける請求項３記載の製造方法（同請求項５）が記載され、実施例３には、（防汚性物質含有ポリエチレン樹脂層／ポリエチレン樹脂層／絵柄を印刷した上質紙）の凹凸模様を有するシートを得たことの記載（第３頁右下欄第９行〜第４頁左上欄第１１行参照）がなされ、
甲第２号証には、フッ化ビニリデン系樹脂１００〜５０重量部とメタクリル酸エステル系樹脂０〜５０重量部とを主成分とする樹脂組成物からなる表面層フイルム、フッ化ビニリデン系樹脂５０〜Ｏ重量部とメタクリル酸エステル系樹脂５０〜１００重量部とを主成分とする樹脂組成物からなる中間層フイルム及び接着剤層の順に積層してなることを特徴とするフッ素樹脂系多層フイルム（特許請求の範囲）が記載され、「本発明はプラスチック、ゴム、金属板、ガラス、木板、スレート、その他の基材表面に、表面保護、装飾等の目的で永久もしくは半永久的に貼合せる表面保護フイルムに関するものであり、」（第１頁左欄下から第６〜３行）との記載がなされ、
甲第３号証には、厚み５０〜８００μでＪＩＳ硬度６０゜〜１００゜のポリウレタンフイルムと、引張弾性率が１００ｋｇ／ｍｍ２以上のプラスチックフイルム上に、パターン層が形成されてなるフイルムとが、接着剤層を介して前記ポリウレタンフイルムと前記パターン層とが接する様にラミネートされてなることを特徴とするポリウレタンベース印刷フイルム（特許請求の範囲第１項）が記載され、「本発明は、パネル、フラットパネルスイッチ用カバーフイルム、ペン入カスイッチ用印刷カバーフイルム等の表示用印刷フイルムに関し、印刷層を中間層に持ったラミネートフイルムに関する。」（第１頁左欄下から第１１〜８行）との記載がなされていることが認められる。
甲第４号証には、「エラストマー」の意味が記載され、
甲第５号証には、成形性のよいプラスチックの基材シート上に、透明ないし半透明なエラストマー層を設けてなる成形用化粧シートに係る発明（特許請求の範囲請求項１〜５）が記載され、「本発明の目的は、プラスチック成形品の絵付けに使用して柔軟で、しかもべとつかない触感を与える、成型用化粧シートを提供することにある。」（第２頁左上欄第１８〜２０行）との記載がなされ、甲第６号証には、アクリル系樹脂（Ａ）１０〜９０重量部と他の熱可塑性樹脂９０〜１０重量部からなる熱可塑性樹脂混合物のフイルム又はシート上にアクリル系樹脂（Ｂ）のフイルム又はシートを積層してなる化粧用被覆材（特許請求の範囲第１項）が記載され、「本発明は、射出成形法、真空成形法により、表面が化粧被覆材で覆われた立体あるいは平板の熱可塑性樹脂成形品を得る絵付成形用の化粧用被覆材に関する。」（第１頁左欄下から第６〜３行）との記載がなされ、
甲第７号証には、熱融着性をもつ合成樹脂フイルム（２）の一方の面に、耐擦傷性および耐汚染性にすぐれた合成樹脂層（１）を設けてなる表面保護フィルム（特許請求の範囲請求項１）及び合成樹脂層（１）の表面に凹凸を設けた請求項１の表面保護フィルム（同請求項２）が記載され、「本発明は、金属板、ガラス板、プラスチック板または化粧板などの表面に貼って、それらの損傷や汚染を防止する表面保護フィルムの改良に関する。」（第２頁左上欄第３〜６行）との記載がなされ、
甲第８号証には、ポリエチレンテレフタレート層とポリオレフィン層とからなる積層体であって、・・・、ポリオレフィン層は前記ポリエチレンテレフタレート層に面した側とは反対側の表面が・・・からなる厚さ０．５〜２５μの接着層とされていることを特徴とする積層体（特許請求の範囲）が記載され、「本発明は、・・・、塗装鋼板等に対し接着性を有する装飾性に優れた積層体に関する。」（第１頁左欄下から第３行〜右欄第１行）との記載がなされ、
甲第９号証には、塩化ビニル樹脂のシートに所定の印刷模様を施した基材上にポリエステル樹脂を１０μないし２００μの膜厚にて押し出し成形して積層し、同時に又はその直後にエンボス加工を行なうことを特徴とする化粧シートの製造方法（特許請求の範囲）が記載され、
甲第１０号証には、ポリエステル樹脂、接着性樹脂及びポリオレフィンを温度３００℃以下の条件で共押出しし、ポリオレフィン層面にコロナ放電処理した後直ちに該ポリオレフィン層面と接着剤を塗布した基材とを連続的にインラインで接着させることを特徴とする積層体の製造方法（特許請求の範囲）が記載され、「本発明は、・・・飲料用容器等の構成材料に適した積層体の製造方法に関する」（第１頁左欄下から第８〜６行）との記載がなされ、
甲第１１号証には、第一層がオレフィン系エラストマーあるいはスチレン系エラストマーのいずれかであり、第二層が第一層のエラストマーとポリオレフィンの混合物であり、第三層がポリオレフィンであり、前記三層が一体化されていることを特徴とするエラストマー系多層シート（特許請求の範囲）が記載され、「本発明は、エラストマーの柔軟な感触、防音性、艶消しを要求される自動車内装品、非スリップ性、柔軟性および緩衝性を活かした搬送用シートまたは成形品、または柔軟な感触を生かしたケース類に用いることができる多層シートに関する。」（第１頁左欄下から第８〜３行）との記載がなされ、
甲第１２号証には、二軸延伸ポリプロピレンフイルムと、共押出されたポリプロピレン／エチレン−酢酸ビニル共重合体またはエチレン−エチルアクリレート共重合体フイルムを冷却ロールと押圧ロールとの間に挿入し、ポリプロピレン樹脂層を接着剤層として両者を圧着して二軸延伸ポリプロピレン／ポリプロピレン／エチレン−酢酸ビニル共重合体またはエチレン−エチレンアクリレート共重合体の複合フイルムを製造する方法において、・・・ことを特徴とするヒートシール性のすぐれた複合フイルムの製造方法（特許請求の範囲）が記載され、
甲第１３号証には、熱可塑性エラストマー組成物の発明（特許請求の範囲参照）が記載され、
甲第１４号証には、少くとも表面が着色された基材の表面に、透明合成樹脂層が形成されており、透明合成樹脂層の表面には下層を透視可能な模様が施されており、最表面にはエンボス加工が施されていることを特徴とする化粧材（特許請求の範囲第１項）、模様上には更に透明合成樹脂上塗層が施されていることを特徴とする特許請求の範囲第１項記載の化粧材（同第２項）が記載され、「透明合成樹脂層４は、・・・例えば、ポリエチレン、ポリプロピレン、・・・などのポリオレフィン系樹脂、・・・等が好適な例である。」（第２頁右下欄第９〜末行）との記載がなされ、
甲第１５号証には、無機質の顔料を含みその表面を多孔状態に活性化したポリオレフィン系樹脂フイルムを、上記活性化した面を基材側にして接着剤により基材に貼着するとともに、上記ポリオレフィン系樹脂フイルムの外面にウレタン樹脂系積層用プライマーを用いて透明樹脂フイルム層を積層して設け、上記基材、ポリオレフィン系樹脂フイルムおよび透明樹脂フイルム層からなる積層体を折曲してなる化粧板（特許請求の範囲）が記載され、「このように活性化された表面１１を基材１２側にして、このポリオレフィン系樹脂フイルムを接着剤１３によってラワン合板等の基材１２に接着する。」（第３欄第２９〜３３行）との記載がなされ、
甲第１６号証には、遮光性合成樹脂基材シートの表面に透明合成樹脂中間層が積層され、透明合成樹脂中間層の表面には遮光性インキを用いて構成される遮光性模様が設けられ、前記透明合成樹脂中間層及び前記遮光性模様を含む全面に透明合成樹脂層が積層されていることを特徴とする床用合成樹脂シート（特許請求の範囲第１項）、遮光性合成樹脂基材シート及び／又は遮光性模様が白色遮光性顔料を主体とする着色剤により着色されていることを特徴とする特許請求の範囲第１項記載の床用合成樹脂シート（同第２項）が記載され、
甲第１７号証には、バックインボックスに関する記載がなされていることが認められる。
　４．しかしながら、甲第１〜１７号証には、請求項１〜５に係る発明（以下、本件発明という。）の構成要件である「中間層が熱可塑性アクリル樹脂にポリふっ化ビニリデン樹脂を添加した混合物であり、表面保護層がポリふっ化ビニリデン樹脂に熱可塑性アクリル樹脂を添加した混合物であること」、「中間層がポリオレフィン系エラストマー樹脂であり、表面保護層がポリウレタン系エラストマー樹脂であること」、「中間層が軟質アクリル樹脂であり、表面保護層が硬質アクリル樹脂であること」、「中間層がポリプロピレン樹脂であり、表面保護層がポリエチレンテレフタレート樹脂であること」または「中間層がポリプロピレン樹脂であり、表面保護層がオレフィン系エラストマー樹脂であること」の記載またはこれを示唆する記載はなされていないものと認められる。
　特許異議申立人は本件発明の構成に係る前記事項について、（１）甲第１号証記載のポリエチレン樹脂層（中間層）と防汚性物質含有ポリエチレン樹脂層（表面保護層）に代えて、または（２）甲第１５号証記載の化粧板における透明樹脂フイルム層にかえて、甲第２、３、６、７、８、１１号証記載の各多層フイルムを適用した程度であり当業者が容易になし得る旨の主張をしている。
　しかし、甲第２、３、６、７、８、１１号証記載の多層フイルムは、それ自体化粧シートとして用いられるものであり、同甲号証には、当該多層フイルムを化粧シートの中間層及び表面保護層として適用すること、すなわち基材シ一トと積層して化粧シートとすることの記載ないし示唆はなされていないものと認められるから、前記（１）に係る適用は当業者にとって容易になし得るものであるということはできないし、甲第１５号証記載のものは化粧板であり、（２）に係る適用によっては化粧シートは得られないことが明らかであるから、特許異議申立人の主張は採用することができない。
　そして本件発明は、前記事項を構成要件とすることにより明細書に記載されたとおりの効果を奏し得たものと認められるから、甲第１〜１７号証に記載された発明に基づいて当業者が容易に発明をすることができたものであるとすることはできない。
　５．また、他に本件発明の特許を取り消すべき理由を発見しない。
　よって、結論のとおり決定する。
【異議決定日】
平成１１年９月１日（１９９９．９．１）